(57)【要約】【課題】本発明は、ＡＴＭセルをフレームの列としてＳＴＭ網に引き渡すバッファ制御装置と制御装置とに関し、伝送品質の定常的な劣化を回避することを目的とする。【解決手段】ＡＴＭ網を介して順次与えられるセルの宛先情報に個別に対応したバッファメモリの記憶領域に、そのセルの内容をサイクリックに書き込む書き込み手段と、記憶領域の内容を読み出し、ＳＴＭ信号としてＳＴＭ網に引き渡す読み出し手段とを備え、書き込み手段は、宛先情報毎に、その宛先情報に対応する記憶領域において書き込みを行う記憶領域と、読み出し手段によって読み出される記憶領域との隔たりが所定範囲にないときに、後続する書き込みの対象となる記憶領域をこの隔たりがその範囲となる記憶領域に設定して構成される。【選択図】      図１
2005167506.tif 000002
【特許請求の範囲】
【請求項１】
バッファメモリの記憶領域の内、ＡＴＭ網を介して順次与えられるセルの宛先情報に個別に対応した記憶領域に、そのセルの内容をサイクリックに書き込む書き込み手段と、
前記バッファメモリの記憶領域の内容を読み出し、ＳＴＭ信号としてＳＴＭ網に引き渡す読み出し手段とを備え、
前記書き込み手段は、
前記宛先情報毎に、その宛先情報に対応する記憶領域において書き込みを行う記憶領域と、前記読み出し手段によって読み出される記憶領域との隔たりが所定範囲か否かを判別し、その判別の結果が偽であるときに、後続する書き込みの対象となる記憶領域をこの隔たりがその範囲となる記憶領域に設定する
ことを特徴とするバッファ制御装置。
【請求項２】
バッファメモリの記憶領域の内、ＡＴＭ網を介して順次与えられるセルの宛先情報に個別に対応した記憶領域に、そのセルの内容をサイクリックに書き込む書き込み手段と、
前記バッファメモリの記憶領域の内容を読み出し、ＳＴＭ信号としてＳＴＭ網に引き渡す読み出し手段とを備え、
前記書き込み手段は、
前記宛先情報毎に、その宛先情報に対応する記憶領域において書き込みを行う記憶領域と、前記読み出し手段によって読み出される記憶領域との隔たりを積分し、前記ＡＴＭ網を介して与えられるセルに伴うことが許容される揺らぎの分布に適合した閾値をその積分の結果の絶対値が超えるときに、後続する書き込みの対象となる記憶領域をこの隔たりがその揺らぎの範囲となる記憶領域に設定する
ことを特徴とするバッファ制御装置。
【請求項３】
複数の宛先に対応して異なる記憶領域を備えた記憶手段と、
受信セルに含まれる各データを、該セルの宛先に対応した前記記憶領域に、所定のアドレス順にサイクリックに書込む書き込み手段と、
該記憶手段に書込まれたデータを読み出す手段であって、複数の宛先に対応するデータを単位として順次読み出す読み出し手段と、
前記書き込み手段による書き込みが行われた際の各宛先に対応するデータについての書き込みアドレスが、該読み出し手段による読み出しアドレスを基準に定義された前記複数の宛先のそれぞれについての標準アドレス範囲に含まれるか否か判定し、含まれない状態が継続した場合に、前記書き込み手段の各宛先に対応するデータについての書き込みアドレスを個別に標準アドレス範囲内のアドレスに変更する変更手段と
を備えたことを特徴とする制御装置。
【発明の詳細な説明】
【技術分野】
【０００１】
本発明は、ＡＴＭ網から与えられたセルを取り込み、そのセルの内容がこのセルの宛先に対応するタイムスロットに配置されたフレームの列としてＳＴＭ網に引き渡すバッファ制御装置および制御装置に関する。
【背景技術】
【０００２】
近年、第二世代の移動通信システムは、加入者の数の著しい増加に起因して逼迫状況にあるために、ＩＭＴ２０００等への移行や統合が進められている。また、ＩＭＴ２０００のような第三世代の移動通信システムでは、音声系だけではなく、多様なデータ系のメディアの統合的な交換および伝送の実現に適したＡＴＭ交換方式がＳＴＭ交換方式に代えて適用され、これらのＳＴＭ網とＡＴＭ網との網間インタフェースが図られる。
【０００３】
図５は、第三世代の移動通信システムの構成例を示す図である。
図において、単一または複数の端末２０-1〜２０-nは無線基地局２１-1〜２１-Nによって個別に形成される無線ゾーン２２-1〜２２-Nの何れかに位置し、これらの無線基地局２１-1〜２１-Nはそれぞれ通信リンク２３-1〜２３-Nを介して基地局制御局２４に接続される。基地局制御局２４は、下記の要素を含んで構成されるコアネットワーク３０を介してインタネット４１および公衆電話網４２に接続される。
・  通信リンクを介して基地局制御局２４に接続され、かつＡＴＭ交換方式が適用された移動体交換機３１
・  移動体交換機３１の上位の階梯に相当し、かつＡＴＭ交換方式が適用されると共に、上述したインタネット４１に接続された関門交換機３２
・  関門交換機３２の特定の方路と、ＳＴＭ網である公衆電話網４２とに接続されたＣＬＡＤ（Cell Assembler and Disassembler)３３
なお、以下では、端末２０-1〜２０-nに共通の事項については、添え番号「１」〜「ｎ」の何れにも該当し得ることを意味する添え文字「ｃ」を符号「２０」に付加して記述し、かつ無線基地局２１-1〜２１-Nに共通の事項については、添え番号「１」〜「Ｎ」の何れにも該当し得ることを意味する添え文字「Ｃ」を符号「２１」に付加して記述する。
【０００４】
このような構成の移動通信システムでは、端末２０-cが位置する無線ゾーン２２-Cを形成する無線基地局２１-Cは、その端末２０-cに生起した呼にかかわるチャネル制御を基地局制御局２４の主導の下で行う。移動体交換機３１はこのような基地局制御局２４と連係することによって該当する呼の呼処理を行い、かつ関門交換機３２はこの移動体交換機３１およびＣＬＡＤ３３と適宜連係することによってその呼の関門交換を行う。
【０００５】
これらの呼処理や関門交換の過程では、ＣＬＡＤ３３は、下記の処理を行う。
・  公衆電話網４２からフレームの列として引き渡された信号（以下、「ＳＴＭ信号」という。）は、それぞれ所定の宛先に対応したタイムスロット毎にユーザデータが所定の形式で配置されており、ＣＬＡＤ３３は、各ユーザデータをＡＴＭアドバンストレイヤ１（以下、「ＡＡＬ１」という。）に準拠したセルの列に変換し、関門交換機３２（既述の通りにＡＴＭ交換方式が適用される。）に引き渡す。
・  関門交換機３２から引き渡され、かつ上述したＡＡＬ１に準拠したセルの列についても各々ＳＴＭ信号に変換し、ＳＴＭ信号として公衆電話網４２に引き渡す。
【０００６】
また、公衆電話網４２に引き渡されるＳＴＭ信号は、図５に示すようにＣＬＡＤ３３に備えられ、かつ縦続接続されたセル受信部３３Ｒ、バッファメモリ３３Ｂおよびフレーム送信部３３Ｔによって下記の通りに生成される。
なお、以下では、このようなＳＴＭ信号の多重度は、「２０４８」であり、かつバッファメモリ３３Ｂの記憶領域のサイズは、図６に示すように、５２４２８８（＝２５６フレーム×２０４８）バイトである。
【０００７】
関門交換機３２は、ＡＡＬ１に準拠したセル（以下、単に「セル」と表記する。）を一定の周期で順次出力する。
セル受信部３３Ｒは、このようなセルが与えられる度に、そのセルのヘッダ情報に基づいてＳＴＭ回線の宛先のタイムスロットを特定し、かつバッファメモリ３３Ｂの記憶領域の内、タイムスロット毎に時系列の順に割り付けられる書き込みアドレス（図７(1))で示される記憶領域に、ユーザデータをサイクリックに書き込む。
【０００８】
フレーム送信部３３Ｔは、バッファメモリ３３Ｂの記憶領域の内、領域管理の下でサイクリックに与えられる読み出しポインタ（図７(2))で示され、かつＳＴＭ信号として示されるフレームに含まれる全てのタイムスロットに対応する記憶領域の内容を一定の速度（図７(3))で読み出し、これらの内容を順次ＳＴＭ信号に変換して公衆電話網４２に引き渡す。
【０００９】
また、バッファメモリ３３Ｂの記憶領域のサイズは、下記の条件が成立する値に予め設定される。
・  関門交換機３２および移動体交換機３１に適用されたＡＴＭ交換方式の下で保証される品質の範囲内で「セル間隔の揺らぎ」が補償される程度に大きい。
・  音声系の通話信号について、伝送遅延による実時間性の低下が許容される程度に、何れの記憶領域の内容も書き込まれた時点から読み出される時点までに経過する時間の平均値Ｔが短くなる。
【００１０】
なお、このような平均値Ｔは、ＡＴＭ網において所望の伝送品質が保証されるセル到着時間の揺らぎ（以下、「揺らぎ保証時間」という。）τ秒と、ＳＴＭ信号として生成されるフレームの周波数ｆとの積（＝τ・ｆ）に比例した値となり、例えば、その揺らぎ保証時間τが１０ミリ秒であり、かつフレームの周波数ｆが８キロヘルツである場合には、ＳＴＭ網において時系列の順に連なる８０（＝１０×１０-3×８×１０3)フレーム分の時間（＝１０ミリ秒）となる。
【００１１】
したがって、例えば、後続するセルが単発的に１０ミリ秒遅れて到着した場合であっても、バッファメモリ３３Ｂの書き込みアドレスと読み出しアドレスとの差に不正常なオーバーフローあるいはアンダーフローが生じることがないので、フレーム送信部３３Ｔは、このようにして遅れて到着したセルの全てを送信することができる。
なお、ＡＴＭ網においてセルが損失し、あるいはセルが到着する順序が逆転することに対する対処は、ＩＴＵ−ＴＩ３６３．１  ＡＰＰＥＮＤＩＸ IIIに規定されるＦａｓｔ  ａｌｇｏｒｉｔｈｍに準拠した方法により、個々のセルのヘッダに含まれる順序番号ＳＣ (Sequence Counter)を監視することにより実現される。
【００１２】
すなわち、セル受信部３３Ｒは、生起した呼のリンクが確立すると、下記の処理を行う。
・  最初に受信されたセルを破棄し、同時にそのＳＣを記憶する。
・  後続する２番目以降に受信したセルのＳＣが最初のセルのＳＣより１増加していることを確認し、かつバッファメモリ３３Ｂの記憶領域の内、書き込みアドレスで示される記憶領域に、ユーザデータを格納する。
・  さらに、後続するセルについては、バッファメモリ３３Ｂの記憶領域の内、先行するセルに含まれるユーザデータが格納された記憶領域のアドレスに後続する書き込みアドレスで示される記憶領域に、ユーザデータを格納し、かつ先行して書き込みが完了した２つのＳＣを保持する。
・  セルが損失し、あるいはセルが到着する順序が逆転したために、保持されているＳＣの増分が「２」以上となった場合は、その増分に等しい数のセルを無効化し、これらの無効化されたセルに代わるダミーデータを生成すると共に、さらに後続するセルのユーザデータについては、バッファメモリ３３Ｂの記憶領域の内、このダミーデータが格納された記憶領域に後続する記憶領域に格納する。
【００１３】
したがって、受信されるセルの揺らぎが伝送品質の劣化が許容される程度であれば、受信された有効なセルに含まれるユーザデータはすべて有効なフレームの列として公衆電話網４２に引き渡され、かつＡＴＭ網内におけるセルの損失や、セルの到着順序の逆転が生じた場合は、一時的に無効なＳＴＭフレームが送信されるが、後続して正常な状態に復旧する。
【特許文献１】特開平９−１６８２７７号公報（要約）
【特許文献２】特開平１０−２００５４９号公報（要約）
【特許文献３】特開２０００−１８３９１４号公報（要約）
【特許文献４】特開２００１−１６２６１号公報（要約）
【発明の開示】
【発明が解決しようとする課題】
【００１４】
ところで、上述した従来例では、関門交換機３２によって与えられるセルの列は、第三世代の移動通信システムのようなシステムにおいては、音声系の呼の通話信号や、データ系の呼の伝送情報に限定されず、呼処理の手順に基づいて適宜伝送される下記の様々な信号に該当し得る。
・  端末２０-cによって指定されたダイヤル番号等を示し、かつ公衆電話網４２の信号方式に適合したＤＴＭＦ(Dual Tone Multi Frequency) 信号（レジスタ信号）
・  公衆電話網４２に送出されるアナウンスメントやリングバックトーン
さらに、このようなセルの列として与えられる信号は、何れも、移動体交換機３１に備えられ、かつ非同期に作動する個別のハードウエア（以下、「音源」という。）によって与えられると共に、上述した呼処理の手順に基づいて適宜切り替えられる。
【００１５】
すなわち、これらの音源から移動体交換機３１および関門交換機３２を介してセル受信部３３Ｒに与えられるセルの間隔は、音源が切り替えられた直後のみに変化し、しかも、再び音源が切り替えられる時点までほぼ一定となるために、図８(a),(b) に示すように、このようなセルの列の揺らぎは単発的とはならない。
したがって、この揺らぎに起因する伝送品質の劣化は許容される限度を超え続け、かつ伝送遅延の定常的な増加に併せて、バッファメモリ３３Ｂのアドレッシングにおけるアンダーランやオーバランの要因となる可能性が高かった。
【００１６】
なお、本願発明に関連する先行技術としては、既述の特許文献１ないし特許文献４に開示された技術がある。しかし、これらの先行技術は、バッファメモリを介して単発的な揺らぎを吸収し、あるいはその揺らぎに起因する伝送品質の劣化を緩和することは可能であっても、上述した非単発的な揺らぎに起因する伝送品質の劣化を緩和することはできなかった。
【００１７】
本発明は、構成が大幅に変更されることなく、非単発的な揺らぎに起因する伝送品質の定常的な劣化が回避されるバッファ制御装置および制御装置を提供することを目的とする。
【課題を解決するための手段】
【００１８】
第１の発明では、書き込み手段は、バッファメモリの記憶領域の内、ＡＴＭ網を介して順次与えられるセルの宛先情報に個別に対応した記憶領域に、そのセルの内容をサイクリックに書き込む。読み出し手段は、バッファメモリの記憶領域の内容を読み出し、ＳＴＭ信号としてＳＴＭ網に引き渡す。ここで、書き込み手段は、宛先情報毎に、その宛先情報に対応する記憶領域において書き込みを行う記憶領域と、読み出し手段によって読み出される記憶領域との隔たりが所定範囲（例えば、ＡＴＭ網を介して与えられるセルに伴うことが許容される揺らぎの範囲）か否かを判別し、その判別の結果が偽であるときに、後続する書き込みの対象となる記憶領域をこの隔たりがその（揺らぎの）範囲となる記憶領域に設定する。
【００１９】
すなわち、バッファメモリの記憶領域の内、共通の宛先情報を含むセルが順次書き込まれる記憶領域は、このようなセルを出力するハードウエアの切り替えに起因してそのセルの位相が上述した揺らぎの範囲を超える程度に大幅にシフトした場合であっても、読み出し手段によって読み出される記憶領域に対する隔たりが上述した揺らぎの範囲となる記憶領域に設定される。
【００２０】
したがって、上述したハードウエアの切り替えに起因する伝送品質の劣化が軽減され、その伝送品質が定常的に劣化することが回避される。
第２の発明では、書き込み手段は、バッファメモリの記憶領域の内、ＡＴＭ網を介して順次与えられるセルの宛先情報に個別に対応した記憶領域に、そのセルの内容をサイクリックに書き込む。読み出し手段は、バッファメモリの記憶領域の内容を読み出し、ＳＴＭ信号としてＳＴＭ網に引き渡す。ここで、書き込み手段は、宛先情報毎に、その宛先情報に対応する記憶領域において書き込みを行う記憶領域と、読み出し手段によって読み出される記憶領域との隔たりを積分し、ＡＴＭ網を介して与えられるセルに伴うことが許容される揺らぎの分布に適合した閾値をその積分の結果の絶対値が超えるときに、後続する書き込みの対象となる記憶領域をこの隔たりがその揺らぎの範囲となる記憶領域に設定する。
【００２１】
すなわち、バッファメモリの記憶領域の内、共通の宛先情報を含むセルが順次書き込まれる記憶領域は、このようなセルを出力するハードウエアの切り替えに起因してそのセルの位相がシフトし、かつ復旧しない場合であっても、読み出し手段によって読み出される記憶領域対する隔たりが上述した揺らぎの範囲となる記憶領域に設定される。
したがって、上述したハードウエアの切り替えに起因する伝送品質の劣化が軽減され、その伝送品質が定常的に劣化することが回避される。
【００２２】
第３の発明では、記憶手段には、複数の宛先に対応して異なる記憶領域が備えられる。書き込み手段は、受信セルに含まれる各データを、該セルの宛先に対応した記憶領域に、所定のアドレス順にサイクリックに書込む。読み出し手段は、該記憶手段に書込まれたデータを読み出す手段であって、複数の宛先に対応するデータを単位として順次読み出す。変更手段は、書き込み手段による書き込みが行われた際の各宛先に対応するデータについての書き込みアドレスが、該読み出し手段による読み出しアドレスを基準に定義された複数の宛先のそれぞれについての標準アドレス範囲に含まれるか否か判定し、含まれない状態が継続した場合に、書き込み手段の各宛先に対応するデータについての書き込みアドレスを個別に標準アドレス範囲内のアドレスに変更する。
【００２３】
すなわち、記憶手段の記憶領域の内、共通の宛先情報を含むセルが順次書き込まれる記憶領域は、これらのセルを出力するハードウエアの切り替え等に起因して個々のセルに所定の範囲を越える揺らぎが継続して伴う場合には、読み出し手段によって読み出される記憶領域に対する隔たりが上述した揺らぎの範囲となる記憶領域に設定される。
したがって、伝送品質の劣化が軽減され、その伝送品質が定常的に劣化することが回避される。
【００２４】
他の発明では、バッファメモリの記憶領域の内、ＡＴＭ網を介して順次与えられるセルの宛先情報に個別に対応した記憶領域の列に、そのセルの内容がサイクリックに書き込まれる。バッファメモリの記憶領域の内、セルに含まれ得る宛先情報の全てに個別に対応する記憶領域の内容が読み出され、これらの宛先情報に対応するＳＴＭ網の回線に引き渡される。さらに、宛先情報毎に、その宛先情報に対応する記憶領域の列上において書き込みが行われる記憶領域と、後続して読み出される記憶領域との隔たりがＡＴＭ網を介して与えられるセルに伴うことが許容される揺らぎの範囲か否かが判別され、その判別の結果が偽であるときに、この隔たりがその揺らぎの範囲となる記憶領域に、「後続する書き込みの対象となる記憶領域」が初期化される。
【００２５】
すなわち、バッファメモリの記憶領域の内、共通の宛先情報を含むセルが順次書き込まれる記憶領域は、このようなセルを出力するハードウエアの切り替えに起因してそのセルの位相が上述した揺らぎの範囲を超える程度に大幅にシフトした場合であっても、読み出し手段によって読み出される記憶領域に対する隔たりが上述した揺らぎの範囲となる記憶領域に設定される。
【００２６】
したがって、上述したハードウエアの切り替えに起因する伝送品質の劣化が軽減され、その伝送品質が定常的に劣化することが回避される。
さらに、他の発明では、バッファメモリの記憶領域の内、ＡＴＭ網を介して順次与えられるセルの宛先情報に個別に対応した記憶領域の列に、そのセルの内容がサイクリックに書き込まれる。バッファメモリの記憶領域の内、セルに含まれ得る宛先情報の全てに個別に対応する記憶領域の内容が読み出され、これらの宛先情報に対応するＳＴＭ網の回線に引き渡される。さらに、宛先情報毎に、その宛先情報に対応する記憶領域の列上において書き込みが行われる記憶領域と、後続して読み出される記憶領域との隔たりが積分され、ＡＴＭ網を介して与えられるセルに伴うことが許容される揺らぎの分布に適合した閾値をその積分の結果の絶対値が超えるときに、この隔たりがその揺らぎの範囲となる記憶領域に、「後続する書き込みの対象となる記憶領域」が初期化される。
【００２７】
すなわち、バッファメモリの記憶領域の内、共通の宛先情報を含むセルが順次書き込まれる記憶領域は、このようなセルを出力するハードウエアの切り替えに起因してそのセルの位相がシフトし、かつ復旧しない場合であっても、後続して読み出される記憶領域対する隔たりが上述した揺らぎの範囲となる記憶領域に設定される。
したがって、上述したハードウエアの切り替えに起因する伝送品質の劣化が軽減され、その伝送品質が定常的に劣化することが回避される。
【発明の効果】
【００２８】
上述したように本発明では、到着するセルの位相がそのセルに伴うことが許容される揺らぎの範囲を超える程度に大幅にシフトした場合であっても、伝送品質の劣化が軽減され、その伝送品質が定常的に劣化することが回避される。
また、到着するセルの位相がシフトし、かつ復旧しない場合であっても、伝送品質の劣化が軽減され、その伝送品質が定常的に劣化することが回避される。
【００２９】
したがって、これらの発明が適用された通信システムでは、ＡＴＭ網とＳＴＭ網との網間インタフェースが上述した揺らぎの発生源となるハードウエアの構成に適応した形態で実現され、かつ伝送品質が良好に確保される。
【発明を実施するための最良の形態】
【００３０】
以下、図面に基づいて本発明の実施形態について詳細に説明する。
図１は、本発明の実施形態を示す図である。
本実施形態には、図５に示すＣＬＡＤ３３に代わるＣＬＡＤ１１が備えられる。
また、このようなＣＬＡＤ１１には、図５に示すセル受信部３３Ｒに代わるセル受信部１１Ｒに併せて、セル位相監視部１１Ｍが備えられ、そのセル位相監視部１１Ｍの第一および第二の入力にはセル受信部１１Ｒおよびフレーム送信部３３Ｔの監視用出力がそれぞれ接続され、このセル位相監視部１１Ｍの出力はセル受信部１１Ｒの制御用入力に接続される。
【００３１】
図２は、本実施形態の動作フローチャートである。
図３は、本実施形態の動作を説明する図（１）である。
図４は、本実施形態の動作を説明する図（２）である。
以下、図１〜図４を参照して本実施形態の動作を説明する。
セル位相監視都１１Ｍは、セル受信都１１Ｒ、フレーム送信部３３Ｔがそれぞれ保持している書き込みアドレス（以下では、値が「Ｐｗ」であると仮定する。）と読み出しアドレス（以下では、値が「Ｐｒ」であると仮定する。）とを監視し、かつ始動時には、下記の処理を行う。
・  フレーム送信部３３Ｔによってバッファメモリ３３Ｂに与えられる各タイムスロット共通の読み出しアドレスＰｒと、既述の揺らぎ保証時間τに比例した平均値Ｔとの和に、各タイムスロットについての書き込みアドレスＰｗの初期値を設定する。以後は、受信セルについての書き込みアドレスを順次後続するアドレスに更新していく。
・  後述する「位相変化検出パラメータ」の値を「０」に初期化する。
【００３２】
さらに、セル位相監視部１１Ｍは、上述した読み出しアドレスＰｒが設定され、あるいは更新される度に、最新の読み出しアドレスＰｒと、既述の積（＝τ・ｆ）と、バッファメモリ３３Ｂの記憶領域の数Ｓと、既定の値δ(τ・ｆ＞δ＞０)とに基づいて定まる下記の３つのエリア（標準エリアＡ、遅着警報エリアＢ、早着警報エリアＣ）として、バッファメモリ３３Ｂの記憶領域を把握する。なお、これらの領域は、読み出しアドレスの変化に伴いシフトするものである。
・「標準エリアＡ」  バッファメモリ３３Ｂの記憶領域の内、下式(1) で示される下限アドレスＰｗ- で示される第一の記憶領域と、下式(2) で示される上限アドレスＰｗ+ で示される第二の記憶領域とで挟まれ、これらの第一および第二の記憶領域を含む（図３(1))。
Ｐｗ- ＝ＭＯＤ（Ｐｒ＋τ・ｆ−δ,Ｓ）  ・・・(1)
Ｐｗ+ ＝ＭＯＤ（Ｐｒ＋τ・ｆ＋δ,Ｓ）  ・・・(2)
なお、Ｐｗ+、Ｐｗ-を（Ｐｒ＋τ・ｆ）を中心とした±δで定義したが、左右非対称に、＋δ、−δ′等とすることもできる。
・「遅着警告エリアＢ」  バッファメモリ３３Ｂの記憶領域の内、この「標準エリアＡ」に隣接し、かつアドレスが上述した下限アドレスＰｗ- より減少する方向（アドレスの減少に応じたアンダーフローは許容される。）に連なる（図３(2))。
・「早着警告エリアＣ」  バッファメモリ３３Ｂの記憶領域の内、この「標準エリアＡ」に隣接し、かつアドレスが上述した上限アドレスＰｗ+ より増加する方向（アドレスの増加に応じたオーバフローは許容される。）に連なる（図３(3))。
【００３３】
また、セル位相監視部１１Ｍは、セル受信都１１Ｒによってバッファメモリ３３Ｂに各スロットについてのセルが書き込まれる毎に、下記の処理を行う（図２参照）。
まず、上述した「標準エリアＡ」、「遅着警告エリアＢ」および「早着警告エリアＣ」の内、そのスロットについての書き込みアドレスＰｗで示される記憶領域（以下、「カレント書き込み領域」という。）が属するエリアを識別する。
【００３４】
もし、「カレント書き込み領域」が「遅着警告エリアＢ」に属する場合（図３(a))には、「位相変化検出パラメータ」をデクリメントし（図２(1))、かつ後述する連続発生回数を「０」に設定する（図２(2))。
又もし、「カレント書き込み領域」が「早着警告エリアＣ」に属する場合（図３(b))には、「位相変化検出パラメータ」をインクリメントし（図２(3))、かつ後述する連続発生回数を「０」に設定する（図２(4))。
【００３５】
又もし、「カレント書き込み領域」が「標準エリアＡ」に属する場合（図３(c))には、このような状態が連続して発生した回数である連続発生回数を計数し（図２(5))、その計数の結果が「２」であるか否か判別すると共に、この判別の結果が真である場合には、「位相変化検出パラメータ」の絶対値をデクリメントする（図２(6))。
以上の処理により、「位相変化検出パラメータ」の絶対値が既定の閾値ｔｈを超えるか否かの判別を行い、その判別の結果が真である場合には、下式(3) で示されるmoduloＳの演算の結果であるＰｗにそのスロットについての書き込みアドレスを初期化し（図２(7))、その書き込みアドレスの値をセル受信部１１Ｒに与える。
Ｐｗ＝Ｐｒ＋τ・ｆ＝Ｐｒ＋Ｔ  ・・・(3)
すなわち、バッファメモリ３３Ｂの記憶領域の内、共通の宛先を含むセルが順次書き込まれる記憶領域の書き込みアドレスの値は、既述の音源の切り替え等に起因してそのセルに非単発的な揺らぎが生じた場合であっても、上述した書き込みアドレスＰｗで示される記憶領域に対して相対的に定まる「標準エリアＡ」を示す値に速やかに初期化する。
【００３６】
したがって、本実施形態によれば、このような非単発的な揺らぎに起因する定常的な伝送品質の劣化が確度高く回避される。
以下、上述した非単発的な揺らぎに起因して伝送品質が定常的に劣化することが回避される過程について、具体的に示す。
なお、ここでは、「標準エリアＡ」のサイズは、書き込みアドレスのカレント値に対して±４ミリ秒分に相当する値に設定され、上述した閾値ｔｈは、「３」に設定されるものとする。
【００３７】
位相変化検出パラメータは、３ミリ秒程度の単発的な揺らぎが発生しても変化しないが、４ミリ秒を超える単発的な揺らぎが発生した場合には、一度はインクリメントされ、あるいはデクリメントされ、その後は速やかに「０」に復旧する（図４(a))。
しかし、上述した音源の切り替え（ＡＴＭパス切り替え）に起因して、後続するセルが８ミリ秒遅れて（早く）到着し、さらに後続する全てのセルも同様に８ミリ秒遅れて（早く）到着する場合には、３回連続して「遅着警告エリアＢ（早着警告エリアＣ）」の書き込みが行われる。したがって、セル書き込みアドレスは既述の通りに初期化され、その初期化に先行してバッファアンダーラン（バッファオーバーラン）は３回発生する（図４(b) 〜(d))。
【００３８】
また、８ミリ秒程度の単発的な揺らぎを伴うセルは、例えば、揺らぎ保証時間τが５ミリ秒である場合には、バッファメモリ３３Ｂに対する書き込みが完了した後に読み出され、かつフレームに変換される（図４(e))ために、ＳＴＭ網である公衆電話網４２に引き渡される。
さらに、８ミリ秒遅れて到着したセルについては、バッファメモリ３３Ｂの記憶領域の内、読み出しの対象となっている記憶領域に上書きされるために、先頭部の３（＝８−５）ミリ秒分は送信されないが、例えば、読み出しアドレスで示される記憶領域に後続する記憶領域に書き込まれた２．７５ミリ秒分は、ＳＴＭ網である公衆電話網４２に引き渡される。したがって、伝送品質の劣化は、稀に３ミリ秒のデータが消失する程度に抑えられる。
【００３９】
なお、上述した実施形態では、本発明は、第三世代の移動通信システムを構成するコアネットワークにおいて、ＡＴＭ交換方式が適用された関門交換機３２から与えられるセルの列をＳＴＭ網である公衆電話網４２にフレームの列として引き渡すＣＬＡＤ１１に適用されている。
しかし、このようなＣＬＡＤ１１は、例えば、上述したコアネットワークに回線交換方式の移動体交換機が備えられる場合には、基地局制御装置２４によって与えられるセルの列をその移動体交換機にフレームの列として引き渡すために適用されてもよい。
【００４０】
また、本発明は、上述した第三世代の移動通信システムに限定されず、ＡＴＭ網とＳＴＭ網との間における多様な網間インタフェースに適用可能である。
さらに、上述した実施形態では、既述の音源は、ＤＴＭＦ信号やリングバックトーンに相当するセルの列を非同期に生成する専用のハードウエアとして備えられている。
しかし、このような音源によって生成される信号は、公衆電話網４２にフレームの列として引き渡され、その公衆電話網４２に適用された信号方式に適合する限り、通話信号だけではなく、如何なるレジスタ信号やライン信号（シグナリング信号）であってもよい。
【００４１】
また、上述した実施形態では、バッファメモリ３３Ｂの具体的な構成が示されていない。
しかし、このようなバッファメモリ３３Ｂは、セル受信部１１Ｒに入力されるセルの速度と、「フレーム送信部３３Ｔによって読み出され、かつフレームの列として公衆電話網４２に引き渡されるユーザデータの多重度」とに適合したサイクルタイムや記憶容量を有し、かつコスト、実装、保守および運用にかかわる要求を満たす限り、多様なメモリの組み合わせとして構成可能である。
【００４２】
さらに、上述した実施形態では、バッファメモリ３３Ｂの記憶領域は書き込みの対象となるセルに含まれ得る宛先情報に個別に対応した記憶領域の集合に区分され、その集合毎に含まれる記憶領域に対して書き込みはサイクリックに行われ、かつ読み出しは、これらの集合にそれぞれ含まれると共に、共通の読み出しアドレスで示される複数（ＳＴＭ網の多重度に等しい。）の記憶領域に対して並行して行われている。
【００４３】
しかし、このようなバッファメモリ３３Ｂのアドレッシングおよび構成は、既述の処理に等価な処理の実現に必要な書き込みおよび読み出しが可能である限り、どのようなものであってもよい。
また、上述した実施形態では、「位相変化検出パラメータ」が「標準エリアＡ」に対する「カレント書き込み領域」の隔たりの積分値として求められ、その「位相変化検出パラメータ」の絶対値が閾値ｔｈを超える場合に書き込みアドレスが初期化されている。
【００４４】
しかし、本発明はこのような構成に限定されず、例えば、既述の音源の切り替えに応じて到着するセルの位相が「通常発生する揺らぎ」の限度を超える可能性がある場合には、「カレント書き込み領域」が「標準エリアＡ」に属さないことが識別される時点で書き込みアドレスが速やかに初期化されてもよい。
さらに、バッファメモリ３３Ｂの記憶領域の内、「標準エリアＡ」の両端を示す下限アドレスＰｗ- および上限アドレスＰｗ+ は、移動体交換機３１や関門交換機３２の構成に適合した既知の値Ｓ、δ、εと、書き込みアドレスＰｗとに対して式(1)、(2) として定義されたmoduloＳの算術演算の結果として求められている。
【００４５】
しかし、これらの下限アドレスＰｗ- および上限アドレスＰｗ+ は、セルに伴うことが許容される揺らぎの分布の変化が移動体交換機３１や関門交換機３２の特性、あるいはその他の環境の変化に応じて無視できない程度に大きい場合には、その揺らぎの分布に適合した値に適宜更新されてもよい。
また、本発明は上述した実施形態に限定されるものではなく、本発明の範囲において多様な形態による実施形態が可能であり、かつ構成装置の全てまたは一部に如何なる改良が施されてもよい。
【００４６】
以下、上述した実施形態として開示された技術を階層的・多面的に整理し、付記として列記する。
（付記１）  バッファメモリの記憶領域の内、ＡＴＭ網を介して順次与えられるセルの宛先情報に個別に対応した記憶領域に、そのセルの内容をサイクリックに書き込む書き込み手段と、
前記バッファメモリの記憶領域の内容を読み出し、ＳＴＭ信号としてＳＴＭ網に引き渡す読み出し手段とを備え、
前記書き込み手段は、
前記宛先情報毎に、その宛先情報に対応する記憶領域において書き込みを行う記憶領域と、前記読み出し手段によって読み出される記憶領域との隔たりが所定範囲か否かを判別し、その判別の結果が偽であるときに、後続する書き込みの対象となる記憶領域をこの隔たりがその範囲となる記憶領域に設定する
ことを特徴とするバッファ制御装置。
（付記２）  バッファメモリの記憶領域の内、ＡＴＭ網を介して順次与えられるセルの宛先情報に個別に対応した記憶領域に、そのセルの内容をサイクリックに書き込む書き込み手段と、
前記バッファメモリの記憶領域の内容を読み出し、ＳＴＭ信号としてＳＴＭ網に引き渡す読み出し手段とを備え、
前記書き込み手段は、
前記宛先情報毎に、その宛先情報に対応する記憶領域において書き込みを行う記憶領域と、前記読み出し手段によって読み出される記憶領域との隔たりを積分し、前記ＡＴＭ網を介して与えられるセルに伴うことが許容される揺らぎの分布に適合した閾値をその積分の結果の絶対値が超えるときに、後続する書き込みの対象となる記憶領域をこの隔たりがその揺らぎの範囲となる記憶領域に設定する
ことを特徴とするバッファ制御装置。
（付記３）  バッファメモリの記憶領域の内、ＡＴＭ網を介して順次与えられるセルの宛先情報に個別に対応した記憶領域の列に、そのセルの内容をサイクリックに書き込み、
前記バッファメモリの記憶領域の内、前記セルに含まれ得る宛先情報の全てに個別に対応する記憶領域の内容を読み出し、これらの宛先情報に対応するＳＴＭ網の回線に引き渡し、
前記宛先情報毎に、その宛先情報に対応する記憶領域の列上において書き込みが行われる記憶領域と、後続して読み出される記憶領域との隔たりが前記ＡＴＭ網を介して与えられるセルに伴うことが許容される揺らぎの範囲か否かを判別し、その判別の結果が偽であるときに、後続する書き込みの対象となる記憶領域をこの隔たりがその揺らぎの範囲となる記憶領域に設定する
ことを特徴とするバッファ制御方法。
（付記４）  バッファメモリの記憶領域の内、ＡＴＭ網を介して順次与えられるセルの宛先情報に個別に対応した記憶領域の列に、そのセルの内容をサイクリックに書き込み、
前記バッファメモリの記憶領域の内、前記セルに含まれ得る宛先情報の全てに個別に対応する記憶領域の内容を読み出し、これらの宛先情報に対応するＳＴＭ網の回線に引き渡し、
前記宛先情報毎に、その宛先情報に対応する記憶領域の列上において書き込みが行われる記憶領域と、後続して読み出される記憶領域との隔たりを積分し、前記ＡＴＭ網を介して与えられるセルに伴うことが許容される揺らぎの分布に適合した閾値をその積分の結果の絶対値が超えるときに、後続する書き込みの対象となる記憶領域をこの隔たりがその揺らぎの範囲となる記憶領域に設定する
ことを特徴とするバッファ制御方法。
（付記５）  複数の宛先に対応して異なる記憶領域を備えた記憶手段と、
受信セルに含まれる各データを、該セルの宛先に対応した前記記憶領域に、所定のアドレス順にサイクリックに書込む書き込み手段と、
該記憶手段に書込まれたデータを読み出す手段であって、複数の宛先に対応するデータを単位として順次読み出す読み出し手段と、
前記書き込み手段による書き込みが行われた際の各宛先に対応するデータについての書き込みアドレスが、該読み出し手段による読み出しアドレスを基準に定義された前記複数の宛先のそれぞれについての標準アドレス範囲に含まれるか否か判定し、含まれない状態が継続した場合に、前記書き込み手段の各宛先に対応するデータについての書き込みアドレスを個別に標準アドレス範囲内のアドレスに変更する変更手段と
を備えたことを特徴とする制御装置。
【図面の簡単な説明】
【００４７】
【図１】本発明の実施形態を示す図である。
【図２】本実施形態の動作フローチャートである。
【図３】本実施形態の動作を説明する図（１）である。
【図４】本実施形態の動作を説明する図（２）である。
【図５】第三世代の移動通信システムの構成例を示す図である。
【図６】バッファメモリの詳細な構成を示す図である。
【図７】従来例におけるバッファメモリの書き込みおよび読み出しを説明する図である。
【図８】従来例の課題を説明する図である。
【符号の説明】
【００４８】
１１，３３  ＣＬＡＤ
１１Ｒ，３３Ｒ  セル受信部
１１Ｍ  セル位相監視部
２０  端末
２１  無線基地局
２２  無線ゾーン
２３  通信リンク
２４  基地局制御局
３０  コアネットワーク
３１  移動体交換機
３２  関門交換機
３３Ｂ  バッファメモリ
３３Ｔ  フレーム送信部
４１  インタネット
４２  公衆電話網
【図１】
2005167506.tif 000003
【図２】
2005167506.tif 000004
【図３】
2005167506.tif 000005
【図４】
2005167506.tif 000006
【図５】
2005167506.tif 000007
【図６】
2005167506.tif 000008
【図７】
2005167506.tif 000009
【図８】
2005167506.tif 000010